(57)【特許請求の範囲】
【請求項１】
光ケーブル（１）を収容するための光ケーブル収容管であって、
開口部（１１）が表面の中央部に上端から下端まで形成されるとともに、前記光ケーブル収容管を支持物に固定する際に裏面が該支持物に当接される筒状の管路部材（１０）と、
前記光ケーブルを前記管路部材に収容したのちに該管路部材の前記開口部を塞ぐための蓋部材（２０）と、
前記光ケーブルを通すための直線状の切込み（３４，５４）が形成された、かつ、前記蓋部材が取り付けられた前記管路部材の上部を覆うための上部キャップ（３０，５０）と、
前記光ケーブルを通すための直線状の他の切込み（４５）が形成された、かつ、前記蓋部材が取り付けられた前記管路部材の下部を覆うとともに該蓋部材が取り付けられた該管路部材と前記光ケーブルが通された地中管（４）とを接続するための下部キャップ（４０）と、
を具備することを特徴とする、光ケーブル収容管。
【請求項２】
前記蓋部材が、
該蓋部材を前記管路部材に取り付けたときに該管路部材の前記開口部をすべて覆うための蓋部（２１）と、
該蓋部の裏面の中央部に取り付けられた、かつ、前記蓋部材を前記管路部材に取り付ける際に該管路部材に挿入される、かつ、表面が下底側の面とされた台形柱形状の挿入部（２２）と、
該挿入部の裏面に取り付けられた、かつ、前記蓋部材を前記管路部材に取り付けたときに該管路部材の内部空間を２分割する内部空間分割手段（２３，２４）と、
を備えることを特徴とする、請求項１記載の光ケーブル収容管。
【請求項３】
前記内部空間分割手段が、
表面が前記挿入部の裏面の中央部に取り付けられた板状の分割部（２３）と、
該分割部の裏面が中央部に取り付けられた、かつ、前記蓋部材を前記管路部材に取り付けたときに裏面が該管路部材の裏面側の内面に当接するようにされた板状の押え部（２４）と、
を備えることを特徴とする、請求項２記載の光ケーブル収容管。
【請求項４】
前記支持物が電柱（Ｐ）であり、
前記蓋部材が取り付けられた前記管路部材が、該管路部材の裏面が前記電柱に当接された状態で、複数本の自在バンド（３）を用いて該電柱に固定されることを特徴とする、請求項１乃至３いずれかに記載の光ケーブル収容管。
【発明の詳細な説明】
【技術分野】
【０００１】
本発明は、光ケーブル収容管に関し、特に、地中管からの立上げ管として用いるのに好適な光ケーブル収容管に関する。
【背景技術】
【０００２】
従来、光ケーブルを電柱から地中管（フレキシブル樹脂管など）を通して各家庭までに敷設する際には、電柱は光ケーブルの支持物としての機能のほかに地中管からの立上げ管を支持する機能を有するため、電柱が車両などの接触により折損して著しく変形した場合には、立上げ管も影響を受けて折れ曲がることがある。
【０００３】
電柱の変形により折れ曲がった立上げ管は新しい立上げ管に交換することになるが、通常使用されている立上げ管は円筒状のものであるため、立上げ管交換作業は、光ケーブルを切断し、新しい立上げ管に取り替え、光ケーブルを新しい立上げ管に通したのちに接続することにより行われている。
【０００４】
なお、下記の特許文献１には、管推進工法により多数の推進管を圧入推進してトンネルを完成したのちケーブルを連結させたり分岐を追加設置したりするときに必要最小限の地域のみを掘削して、作業時間および費用を節減し、作業による近隣住民の請願を減少させるとともに、地下に埋設された推進管に影響を及ぼすことのないように、推進管の側面に開口を形成し、蓋を開口に着脱自在に結合した管推進工法用推進管が開示されている。
【０００５】
また、下記の特許文献２には、各種ケーブル類の立上げ位置の変更に際しケーブル類を切断せずに簡単に移設でき、再使用も可能で無駄がなく、取扱いも容易なものとするように、支柱を囲繞する固定バンドによって支柱面に当接状に配設固定する取付台座部材と、取付台座部材に着脱自在に係合するよう開口縁両側に係合片を突出形成した断面でほぼ溝形を呈する分割構成の立上り管部材とによってケーブル類を収納保護する筒状となる配線管路を形成し、最上位に位置する係合片の上縁に当接するストッパー手段を取付台座部材側方から挿通して立上り管部材の抜け止めとし、配線管路の上部開口が、上端に至るに伴ない次第に窄まり、切断開口径が異なる複数の段部を有する錐体状の防水キャップによって閉塞施蓋し、同様に、配線管路の下部開口には、地中管路の自在管に接続するよう前後方向で分割・接合自在になっている継手を連結するようにした、ケーブル類の保護立上り配線管路装置が開示されている。
【先行技術文献】
【特許文献】
【０００６】
【特許文献１】特開２００４−０１９４３５号公報
【特許文献２】実用新案登録第３０３４１３９号公報
【発明の概要】
【発明が解決しようとする課題】
【０００７】
しかしながら、上述した立上げ管交換作業では、光ケーブルを切断するため、必然的に回線停止が伴い、コストおよび時間がかかるという問題があった。
【０００８】
また、立上げ管の損傷程度によっては、損傷した円筒状の立上げ管を開放して光ケーブルを取り出したのちに半割管を用いて修理する方法も行われているが、半割管は比較的短いことや強度的に弱いことなどから、このような半割管を用いた修理方法はあまり行われていない。
【０００９】
本発明の目的は、光ケーブルを切断することなく立上げ管交換作業を行うことができる光ケーブル収容管を提供することにある。
【課題を解決するための手段】
【００１０】
本発明の光ケーブル収容管は、光ケーブル（１）を収容するための光ケーブル収容管であって、開口部（１１）が表面の中央部に上端から下端まで形成されるとともに、前記光ケーブル収容管を支持物に固定する際に裏面が該支持物に当接される筒状の管路部材（１０）と、前記光ケーブルを前記管路部材に収容したのちに該管路部材の前記開口部を塞ぐための蓋部材（２０）と、前記光ケーブルを通すための直線状の切込み（３４，５４）が形成された、かつ、前記蓋部材が取り付けられた前記管路部材の上部を覆うための上部キャップ（３０，５０）と、前記光ケーブルを通すための直線状の他の切込み（４５）が形成された、かつ、前記蓋部材が取り付けられた前記管路部材の下部を覆うとともに該蓋部材が取り付けられた該管路部材と前記光ケーブルが通された地中管（４）とを接続するための下部キャップ（４０）とを具備することを特徴とする。
ここで、前記蓋部材が、該蓋部材を前記管路部材に取り付けたときに該管路部材の前記開口部をすべて覆うための蓋部（２１）と、該蓋部の裏面の中央部に取り付けられた、かつ、前記蓋部材を前記管路部材に取り付ける際に該管路部材に挿入される、かつ、表面が下底側の面とされた台形柱形状の挿入部（２２）と、該挿入部の裏面に取り付けられた、かつ、前記蓋部材を前記管路部材に取り付けたときに該管路部材の内部空間を２分割する内部空間分割手段（２３，２４）とを備えてもよい。
前記内部空間分割手段が、表面が前記挿入部の裏面の中央部に取り付けられた板状の分割部（２３）と、該分割部の裏面が中央部に取り付けられた、かつ、前記蓋部材を前記管路部材に取り付けたときに裏面が該管路部材の裏面側の内面に当接するようにされた板状の押え部（２４）とを備えてもよい。
前記支持物が電柱（Ｐ）であり、前記蓋部材が取り付けられた前記管路部材が、該管路部材の裏面が前記電柱に当接された状態で、複数本の自在バンド（３）を用いて該電柱に固定されてもよい。
【発明の効果】
【００１１】
本発明の光ケーブル収容管は、以下に示す効果を奏する。
（１）表面に開口部が形成された管路部材に光ケーブルを収容したのちに開口部を蓋部材で塞ぐ構成とすることにより、光ケーブルを切断することなく立上げ管交換作業を行うことができる。
（２）内部空間分割手段を備えたセパレーター型に蓋部材をすることにより、蓋部材で管路部材の開口部を塞ぐとともに管路部材の内部空間を２分割することができる。
（３）立上げ管の部分的な改修が可能となるため、復旧費用の低減を図ることができる。
（４）簡単な構造であるため、応用範囲が広く、屋内の機械的強度が必要なケーブルダクトとしても使用することができるとともに、製造コストの低減を図ることができる。
【図面の簡単な説明】
【００１２】
【図１】本発明の一実施例による光ケーブル収容管を構成する管路部材１０および蓋部材２０の構成を示す図であり、（ａ）は管路部材１０の上面図、（ｂ）は管路部材１０の正面図、（ｃ）は蓋部材２０の上面図、（ｄ）は蓋部材２０の正面図である。
【図２】本発明の一実施例による光ケーブル収容管を構成する上部キャップ部材３０の構成を示す図であり、（ａ）は上面図、（ｂ）は正面図である。
【図３】本発明の一実施例による光ケーブル収容管を構成する下部キャップ部材４０の構成を示す図であり、（ａ）は上面図、（ｂ）は正面図である。
【図４】本発明の一実施例による光ケーブル収容管の使用方法について説明するための図である。
【図５】４本の光ケーブル１を光ケーブル収容管に収容する際に使用する上部キャップ部材５０の構成を示す上面図である。
【発明を実施するための形態】
【００１３】
上記の目的を、表面に開口部が形成された管路部材に光ケーブルを収容したのちに開口部を蓋部材で塞ぐ構成とすることにより実現した。
【実施例１】
【００１４】
以下、本発明の光ケーブル収容管の実施例について図面を参照して説明する。
本発明の一実施例による光ケーブル収容管は、図１（ａ），（ｂ）に示す管路部材１０と、図１（ｃ），（ｄ）に示すセパレーター型の蓋部材２０と、図２（ａ），（ｂ）に示す上部キャップ部材３０と、図３（ａ），（ｂ）に示す下部キャップ部材４０とを具備する。
【００１５】
ここで、管路部材１０は、光ケーブル１（図４（ａ）参照）を収容するためのものであり、開口部１１が形成された縦長の楕円筒状の形状をしている（図１（ａ），（ｂ）参照）。また、管路部材１０の素材としては、錆などへの耐久性を持たせるために、亜鉛メッキ鋼管や樹脂性管を用いている。
開口部１１は、管路部材１０の縦方向（上下方向）に沿って敷設される光ケーブル１を切断することなく管路部材１０に収容するために、管路部材１０の表面の中央部に管路部材１０の上端から下端まで形成されている。
管路部材１０の裏面は、平面状の形状とされている。ただし、管路部材１０の裏面は、光ケーブル収容管を電柱Ｐ（図４（ｄ），（ｅ）参照）に固定する際に電柱Ｐに当接させる側の面であるため、電柱Ｐの周面に沿わせた凹み形状とされてもよい。
なお、光ケーブル収容管の防水性を高めるために、管路部材１０の左右端部にパッキンを施してもよい。
【００１６】
蓋部材２０は、光ケーブル１を管路部材１０に収容したのちに管路部材１０の開口部１１を塞ぐためのものであり、縦方向の長さ（上端から下端までの長さ）は管路部材１０の縦方向の長さと同じとされている（図１（ｂ），（ｄ）参照）。また、蓋部材２０の素材としては、管路部材１０と同様に、亜鉛メッキ鋼管や樹脂性管を用いている。
蓋部材２０は、図１（ｃ）に示すように、蓋部２１、挿入部２２、分割部２３および押え部２４を備える。
【００１７】
蓋部材２０を管路部材１０に取り付けたときに裏面が管路部材１０の表面に当接するように、蓋部２１の表面および裏面は共に曲面とされている。また、蓋部２１の横方向の長さは、蓋部２１を管路部材１０に取り付けたときに蓋部２１で管路部材１０の開口部１１をすべて覆うように（図４（ｂ）参照）、管路部材１０の開口部１１の横方向の長さよりも長くされている。
【００１８】
挿入部２２は、蓋部材２０を管路部材１０に取り付ける際に管路部材１０に挿入される部分であり、蓋部２１の裏面の中央部に一体的に取り付けられている。
また、挿入部２２は、表面が下底側の面とされた等脚台形柱（上面および下面が等脚台形）の形状をしている。
さらに、管路部材１０の左右端面が挿入部２２の左右側面にそれぞれ当接した状態で蓋部材２０を管路部材１０に取り付けることができるように、挿入部２２の表面の横方向の長さは管路部材１０の開口部１１の横方向の長さよりも多少長くされている。すなわち、蓋部材２０を管路部材１０に取り付ける際に、管路部材１０の左右端面は、最初は挿入部２２の左右側面から離れているが、挿入部２２を管路部材１０に挿入していくにつれて挿入部２２の左右側面にそれぞれ当接したのち最終的に右左方向にそれぞれ多少押されるようにされている。
これにより、蓋部材２０を管路部材１０に取り付けた状態では、管路部材１０の左右端面は右左方向にそれぞれ押される力に抗して元の位置に戻ろうとして挿入部２２の左右側面をそれぞれ押圧するため、管路部材１０の左右端面と挿入部２２の左右側面とをそれぞれ密着させることができる。
【００１９】
分割部２３は、蓋部材２０を管路部材１０に取り付けたときに管路部材１０の内部空間を左右に２分割するためのものであり、縦長の板状の形状をしている。これにより、作業員は、２本以上の光ケーブル１を管路部材１０に収容する場合には管路部材１０内の左右空間に分けて収容することができるため、２本以上の光ケーブル１を容易に見分けるようにすることができる。
分割部２３の表面（挿入部２２側の面）は挿入部２２の裏面の中央部に一体的に取り付けられており、分割部２３の裏面（押え部２４側の面）は押え部２４の表面の中央部に一体的に取り付けられている。
【００２０】
押え部２４は、蓋部材２０を管路部材１０に取り付けたときに裏面が管路部材１０の裏面側の内面に当接するようにして、管路部材１０の内部空間を分割部２３で左右空間に完全に２分割するようにするためのものであり、縦長の板状の形状をしている。
【００２１】
上部キャップ３０は、蓋部材２０が取り付けられた管路部材１０の上部を覆うためのものであり、複数の段部を有する楕円錐体状の形状をしている。そのため、上部キャップ３０は、図２（ａ），（ｂ）に示すように、上部３１と、第１および第２の中間部３２1，３２2と、下部３３とからなる。
また、防水のため、上部キャップ３０はゴム製とされている。
【００２２】
上部３１は、光ケーブル１の外径と略同じ大きさの内径を有する円筒状の形状をしており、第１の中間部３２1の上面の中央部に一体的に取り付けられている。
第１の中間部３２1は、長径および短径が上部３１の外径よりも大きい楕円筒状の形状をしており、第２の中間部３２2の上面の中央部に一体的に取り付けられている。また、第１の中間部３２1の上面の開口の径は、上部３１の内径と同じ大きさにされている。
第２の中間部３２2は、長径および短径が第１の中間部３２1の長径および短径よりもそれぞれ大きい楕円筒状の形状をしており、下部３３の上面の中央部に一体的に取り付けられている。また、第２の中間部３２2の上面の開口の径は、第１の中間部３２1の下面の開口の径と同じ大きさにされている。
下部３３は、長径および短径がよりも第２の中間部３２2の長径および短径よりもそれぞれ大きい楕円筒状の形状をしている。また、下部３３の上面の開口の径は、第２の中間部３２2の下面の開口の径と同じ大きさにされている。さらに、下部３３は、蓋部材２０が取り付けられた管路部材１０に上部キャップ３０を装着したときに下部３３の内周面が管路部材１０および蓋部材２０の外周面と密着するような形状とされている。
上部３１の中心軸と第１中間部３２1の中心軸と第２の中間部３２2の中心軸とは一直線上にくるようにされている。
上部３１、第１および第２の中間部３２1，３２2並びに下部３３の裏面の中央部には、光ケーブル１を通すための直線状の切込み３４が形成されている。
【００２３】
下部キャップ４０は、蓋部材２０が取り付けられた管路部材１０の下部を覆うとともに蓋部材２０が取り付けられた管路部材１０と光ケーブル１が通された地中管４とを接続するためのものであり、複数の段部を有する逆楕円錐体状の形状（上部キャップ３０の上下を略逆さまにした形状）をしている。そのため、下部キャップ４０は、図３（ａ），（ｂ）に示すように、外側管部４１と、収容部４２と、第１および第２の中間部４３1，４３2と、下部４４とからなる。
【００２４】
下部４４は、地中管４の接続部の外径と同じ大きさの内径を有する円筒状の形状をしており、第２の中間部４３2の下面の中央部に一体的に取り付けられている。
第２の中間部４３2は、長径および短径が下部４４の外径よりも大きい楕円筒状の形状をしており、第１の中間部４３1の下面の中央部に一体的に取り付けられている。また、第２の中間部４３2の下面の開口の径は、下部４４の内径と同じ大きさにされている。
第１の中間部４３1は、長径および短径が第２の中間部４３2の長径および短径よりもそれぞれ大きい楕円筒状の形状をしており、外側管部４１の下面の中央部に一体的に取り付けられている。また、第１の中間部４３1の下面の開口の径は、第２の中間部４３2の上面の開口の径と同じ大きさにされている。
外側管部４１は、長径および短径がよりも第１の中間部４３1の長径および短径よりもそれぞれ大きい略楕円筒状の形状をしている。また、外側管部４１の下面の開口の径は、第１の中間部４３1の上面の開口の径と同じ大きさにされている。
収容部４２は、外側管部４１内に取り付けられており、蓋部材２０が取り付けられた管路部材１０に下部キャップ４０を装着したときに収容部４２の内周面が管路部材１０および蓋部材２０の外周面と密着するような形状とされている。
第１中間部４３1の中心軸と第２の中間部４３2の中心軸と下部４４の中心軸とは一直線上にくるようにされている。
外側管路４１、第１および第２の中間部４３1，４３2並びに下部４４の表面の中央部には、光ケーブル１を通すための直線状の切込み４５が形成されている。
【００２５】
次に、折れ曲がった立上げ管を本実施例による光ケーブル収容管に交換する際の作業手順について、立上げ管に１本の光ケーブル１が通されている場合を例として、図４（ａ）〜（ｅ）を参照して説明する。
【００２６】
作業員は、光ケーブル１を切断することなく、折れ曲がった立上げ管から光ケーブル１を外したのち、折れ曲がった立上げ管を撤去する。
【００２７】
その後、作業員は、図４（ａ）に矢印で示すように、光ケーブル１を管路部材１０の開口部１１を通して管路部材１０に挿入したのち、管路部材１０に向かって左右いずれかの方向にずらす（同図の例では管路部材１０に向かって右方向にずらしている。）。
【００２８】
その後、作業員は、図４（ｂ）に矢印で示すように、蓋部材２０を管路部材１０に取り付ける。このとき、光ケーブル１は、上述したように左右いずれかの方向にずらされているため、蓋部材２０の分割部２３や押え部２４に当たって損傷することはない。
【００２９】
その後、作業員は、図４（ｃ）に矢印で示すように、光ケーブル１を上部キャップ３０の切込み３４を通して上部キャップ３０に挿入したのち、蓋部材２０が取り付けられた管路部材１０に上部キャップ３０を装着する。続いて、作業員は、上部キャップ３０の上部３１、第１および第２の中間部３２1，３２2並びに下部３３の外周面に固定バンド２をそれぞれ巻いて、蓋部材２０が取り付けられた管路部材１０から上部キャップ３０が外れないようにする（図４（ｅ）参照）。
なお、光ケーブル収容管の防水性を高めるために、上部キャップ３０の切込み３４にパテを塗るとともに、固定バンド２の代わりに融着テープを上部３１、第１および第２の中間部３２1，３２2並びに下部３３の外周面にそれぞれ巻いたりしてもよい。
【００３０】
その後、作業員は、光ケーブル１を下部キャップ４０の切込み４５を通して下部キャップ４０に挿入したのち、蓋部材２０が取り付けられた管路部材１０に下部キャップ４０を装着するとともに、地中管４に下部キャップ４０を装着する。続いて、作業員は、下部キャップ４０の外側管部４１、第１および第２の中間部４３1，４３2並びに下部４４の外周面に固定バンド２をそれぞれ巻いて、蓋部材２０が取り付けられた管路部材１０および地中管４から下部キャップ４０が外れないようにする（図４（ｅ）参照）。
【００３１】
その後、作業員は、図４（ｄ），（ｅ）に示すように、管路部材１０の裏面を電柱Ｐに当接させるとともに下部キャップ４０および地中管４を地面に挿入して、光ケーブル収容管を地面に対して垂直に電柱Ｐに沿って立てる。続いて、作業員は、複数本の自在バンド３を用いて光ケーブル収容管を電柱Ｐに固定する。
このとき、自在バンド３は締付ボルト・ナットで固定されるが、ボルト締付圧力は８０Ｎ／ｍ程度であるため、蓋部２０が略このボルト締付圧力で図４（ｄ）に矢印で示すように電柱Ｐに向かって押されるため、ボルト締付圧力を利用して蓋部２０の裏面を管路部材１０の表面と密着させることができる。
【００３２】
以上の説明では、上部キャップ３０は１本の光ケーブル１を通すように構成したが、たとえば４本の光ケーブル１を通すようにするために、図５に示す上部キャップ５０のように、上部５１を楕円筒状の形状にして、上部５１の上面に光ケーブル１の外径と略同じ大きさの内径の開口部を横方向に直線状に並べて形成してもよい。
下部キャップ４０についても同様である。
【００３３】
また、１本の光ケーブル１のみを収容する光ケーブル収容管を構成する場合には蓋部材２０をセパレーター型とする必要はないため、この場合には蓋部材２０は分割部２３および押え部２４を備えなくてもよい。
【符号の説明】
【００３４】
１  光ケーブル
２  固定バンド
３  自在バンド
４  地中管
１０  管路部材
１１  開口部
２０  蓋部材
２１  蓋部
２２  挿入部
２３  分割部
２４  押え部
３０，５０  上部キャップ部材
３１，５１  上部
３２1，３２2，５２1，５２2  第１および第２の中間部
３３，５３  下部
３４，５４  切込み
４０  下部キャップ部材
４１  外側管部
４２  収容部
４３1，４３2  第１および第２の中間部
４４  下部
４５  切込み
Ｐ  電柱
【図１】
0005868723.tif 000002
【図２】
0005868723.tif 000003
【図３】
0005868723.tif 000004
【図４】
0005868723.tif 000005
【図５】
0005868723.tif 000006